(57)【要約】低く中和された又は非中和の超吸収性ポリマーを含む吸収構造体。失禁衣料、女性用衛生ナプキン、ベビー用おむつ、ベビー用パンツ、パンティライナー又は同種製品の如き吸収構造体を含む製品、並びに前記製品の製造のための上述の吸収構造体又は低く中和された又は非中和の超吸収性ポリマーの使用も開示される。【選択図】図１
2004516098.tif 000002
【特許請求の範囲】
【請求項１】
０〜１９％の中和度を有する超吸収性ポリマー（ＳＡＰ）を含む吸収構造体。
【請求項２】
ＳＡＰが０〜１０％の中和度を有する請求項１に記載の吸収構造体。
【請求項３】
ＳＡＰが吸収構造体の全乾燥重量に基づいて少なくとも約６０，７０，８０，９０又は約１００重量％を構成する請求項１又は２に記載の吸収構造体。
【請求項４】
２０〜７０％の中和度を有する従来のＳＡＰが吸収構造体中に存在する請求項１〜３のいずれかに記載の吸収構造体。
【請求項５】
構造体の厚さが乾燥状態で少なくとも約０．５，１，２，４，６又は約８ｍｍである請求項１〜４のいずれかに記載の吸収構造体。
【請求項６】
構造体が製品の一部を形成し、製品が失禁衣料、女性用衛生ナプキン、ベビー用おむつ、ベビー用パンツ、パンティライナー又は同種製品である請求項１〜５のいずれかに記載の吸収構造体。
【請求項７】
吸収構造体が吸収材料と超吸収性ポリマー（ＳＡＰ）を含み、吸収材料と０〜１９％の中和度を有するＳＡＰを混合又は層状化して吸収構造体を製造することを含む請求項１〜６のいずれかに記載の吸収構造体を製造するための方法。
【請求項８】
ＳＡＰが吸収構造体の全乾燥重量に基づいて約６０，７０，８０，９０又は約１００重量％を構成する請求項７に記載の方法。
【請求項９】
構造体が製品の一部を形成し、製品が失禁衣料、女性用衛生ナプキン、ベビー用おむつ、ベビー用パンツ、パンティライナー又は同種製品である請求項７又は８に記載の方法。
【請求項１０】
吸収構造体の製造のための、０〜１９％の中和度に中和されたＳＡＰの使用。
【請求項１１】
ＳＡＰが分布されている部分（単数又は複数）において吸収構造体の全乾燥重量に基づいて約６０，７０，８０，９０又は約１００重量％をＳＡＰが構成する請求項１０に記載のＳＡＰの使用。
【請求項１２】
吸収製品の製造のための請求項１〜６のいずれか一項に規定される吸収構造体の使用であって、製品が失禁衣料、女性用衛生ナプキン、ベビー用おむつ、ベビー用パンツ、パンティライナー又は同種製品である使用。
【請求項１３】
請求項１〜６のいずれか一項に規定される吸収構造体を含む、失禁衣料、女性用衛生ナプキン、ベビー用おむつ、ベビー用パンツ、パンティライナー又は同種製品の如き吸収製品。
【発明の詳細な説明】
【０００１】
技術分野
本発明は０〜１９％の中和度を有する超吸収性ポリマー（ＳＡＰ）を含む吸収構造体及びその製品に関する。本発明は改良されたＳＡＰを含むかかる吸収構造体の製造方法及びかかる吸収構造体の製造のためのかかる低く中和された又は非中和のＳＡＰの使用及びかかる吸収構造体を含む製品にも関する。
【０００２】
発明の背景
様々な形態の衛生製品における吸収構造体の使用は周知である。かかる衛生製品は通常、上部層（これを通して液体が吸収される）、吸収構造体、及び液体の漏れを防止する下部バリヤー層を含む。
【０００３】
ベビー用おむつ、ベビー用パンツ、失禁衣料、衛生ナプキン、パンティライナー及び同種製品の如き吸収製品中に含まれる高品質の吸収構造体を製造するためには、吸収構造体は通常、超吸収性ポリマー（ＳＡＰ）と混合される。かかる超吸収性ポリマーは粒子、顆粒、フレーク又は繊維として存在する。
【０００４】
超吸収性ポリマーは水及び体液（例えば尿及び血液）の如き液体を吸収する能力が高いポリマーである。吸収中、ＳＡＰは膨張して不溶性ゲルを生成する。吸収構造体及び最終製品の吸収能力はどこにそしてどのようにＳＡＰが吸収構造体中に混合されているか、粒子の形状及び大きさ、並びに物理的及び化学的特徴（例えば吸収速度、ゲル強度及び液体保持能力）の如き様々な要因に依存する。超吸収性ポリマーは通常セルロース繊維を含む従来の吸収材料と混合されるか又は階層化されることができる。
【０００５】
超吸収性ポリマーに伴う問題の一つは、最終製品の輸送及び使用中、吸収構造体中にポリマーを固定して維持するために吸収構造体中の繊維にどのようにしてポリマーを十分付着させるかである。既知の方法は効率が低いため、限定された量のＳＡＰのみが吸収構造体中に含まれることができる。
【０００６】
ＳＡＰは液体吸収時に膨潤し、吸収構造体中に含まれるＳＡＰの量と最終吸収製品の使用者に不快を生じさせない最終製品の厚さとの間に妥協がある。
【０００７】
超吸収性ポリマーを吸収構造体に固定する様々な方法が知られている。ＥＰ  ０７２０４８８からは熱可塑性ポリマー繊維の使用により超吸収性ポリマーを繊維構造体に固定することが知られており、超吸収性ポリマーはこの繊維に熱的に結合される。これは吸収材料を含む吸収構造体にＳＡＰを良好に固定するために吸収構造体を高温、例えば１００〜３００℃、に加熱することを含む。
【０００８】
超吸収性ポリマーを固定する他の方法はＥＰ  ０７５８２２０に記載されている。ここでは超吸収性ポリマーは、湿らされて離解されたセルロースパルプ又は湿らされたティッシュの間に積層化されることにより結合される。ラミネートは二つの加熱されたローラの間で圧縮され、これは周囲マトリックスへのＳＡＰの結合を改良するであろう。しかし、この方法はポリマーを吸収構造体にゆるく結合させるにすぎない。
【０００９】
ＥＰ  ０７２０４８８及びＥＰ  ０７５８２２０の両方についての共通の特徴は吸収繊維又は構造体へのＳＡＰの固定中の例えば１００〜３００℃という高温への加熱ステップである。吸収構造体を熱で処理することは常に好適であるとは限らないし、費用が高くつく。また、超吸収性ポリマーは吸収構造体にしっかりとは固定されておらず、輸送中又は製品の最終的な使用中にゆるくなるかもしれない。
【００１０】
従来のＳＡＰはポリアクリル酸のポリマーの如きポリマーである。この酸ポリマーは最終製品のｐＨを調整するため、通常、２０〜７０％の中和度に中和されている。ＮａＯＨ及びＫＯＨを中和剤として用いることにより、酸−ＣＯＯＨ基のＮａ又はＫ塩への変換が生ずるであろう。この変換はＳＡＰの物理的挙動に影響を与えるであろう。何故なら、ポリアクリル酸のＮａ又はＫ塩は純粋なポリアクリル酸よりもずっと親水性の挙動を示すからである。また、ポリマーは材料の塩特性により硬くてもろい。
【００１１】
中和の他の効果は超吸収性ポリマーのある種の剛性、即ちポリマーの柔軟性の少なさである。中和されたポリマーは負の電荷を含み、これは静電反発力のためポリマーを引き延ばす。これはポリマーと周囲材料との間の良好な接触を防止するかもしれない。
【００１２】
ＷＯ  ００／３５５０５からはＳＡＰを既知のＳＡＰにおける通常の中和度である４０〜７０％と比較して２０〜５０％の中和度に部分的に中和することが知られている。粘着性の微小な増大は別として、部分的な中和によって得られる付加的な特性、例えばｐＨ４〜５の如き中間ｐＨ、は細菌の増殖を阻害し、低下したｐＨによる悪臭の発生を阻害する。
【００１３】
従って、ＳＡＰを吸収構造体に固定する既知の方法はＳＡＰの完全な固定を可能としない。この事実のため、限定された量のＳＡＰのみが吸収構造体中に組入れられることができる。この限定された量はそれにより最終製品の吸収能力を減少させるであろう。高い吸収能力をなおも有するためには、製品は厚くなければならず、これは使用者にとっては望ましいことではない。
【００１４】
発明の概要
本発明の主目的は吸収構造体中の繊維構造体に適切に固定されたＳＡＰを有する吸収構造体を与えることである。
【００１５】
更に、低く中和された又は非中和のＳＡＰを含む吸収構造体並びにかかる吸収構造体を製造する方法を与えることも本発明の目的である。また、高い吸収能力を有する薄くて目立たない吸収構造体の製造のための０〜１９％の中和度に中和されたＳＡＰの使用、及び吸収製品の製造のための前記吸収構造体の更なる使用も含まれる。
【００１６】
上述の目的を達成するため、本発明は０〜１９％の中和度に中和されたＳＡＰを含む吸収構造体に関し、上述の問題を解決する。非中和の、又は低い中和度に中和されたＳＡＰは従来のＳＡＰよりもずっと粘着性であり、高い粘着性のため、ＳＡＰが改良成分として含まれる繊維マトリックスへ一層容易に付着することができる。かかる低く中和された又は非中和のＳＡＰを用いることにより、かかる低く中和されたまたは非中和のＳＡＰの増大された粘着性のため、既知の構造体と比較して高い量のＳＡＰが吸収構造体中に組入れられることができる。
【００１７】
非中和のポリアクリル酸は電荷を有さず、それ故、周囲表面との接触において一層柔軟である。ポリマーの非中和形態は実際、高度の粘着性と関連している。この粘着性の他の理由はポリマーの網状構造それ自体との及び隣接する構造体との水素結合を形成する可能性である。また、非中和のポリマーのこの粘着性に寄与するのは隣接するＮＨ２基への水素の可能な供与であり、これは残存陰イオン性帯電ポリマーを生じ、これは周囲の構造体と静電的に相互作用することができる。
【００１８】
本発明は失禁衣料、女性用衛生ナプキン、ベビー用おむつ、ベビー用パンツ、パンティライナー又は同種製品の如き吸収構造体を含む薄くて快適で目立たない製品にも関し、上述の製品の吸収構造体は上述の低く中和された又は非中和のＳＡＰを含む。
【００１９】
更に、本発明は０〜１９％の中和度を有する上述のＳＡＰを吸収材料と混合又は層状化することを含むかかる吸収構造体の製造方法を提供することを意図する。かかる吸収構造体はＳＡＰが分布されている部分（単数又は複数）において吸収構造体の全乾燥重量に基づいて約６０〜１００重量％のＳＡＰを含むことができる。
【００２０】
本発明は失禁衣料、女性用衛生ナプキン、ベビー用おむつ、ベビー用パンツ、パンティライナー又は同種製品の如き製品を与えるための上述の吸収構造体の使用にも関する。
【００２１】
本発明によれば、吸収構造体は体液又は血液の如き液体を吸収するための多量のＳＡＰの組入れにより既知の同様の製品よりも薄くしかも既知の同様の製品と同じくらい効果的にすることができる。失禁衣料、女性用衛生ナプキン、ベビー用おむつ、ベビー用パンツ、パンティライナー又は同種製品の如き最終製品の全厚さも本発明によれば減少し、これは使用者にとっては一層快適で目立たない。吸収製品の快適さ及び目立たなさを更に増大させることはかかる低く中和された又は非中和のＳＡＰを使用する場合に細菌の増殖及び悪臭の発生を阻害し、並びに使用中の構造体の膨潤を少なくする。
【００２２】
究極的には本発明は高い吸収能力及び使用者への高い快適性を有する薄い製品を導くであろう。
【００２３】
図面の簡単な説明
図１はＳＡＰを含むおむつの模式図である。
【００２４】
発明の詳細な記述
上述の通り、本発明は０から１９％までの中和度を有する超吸収材料を含む吸収構造体、かかる吸収構造体を含む製品、及び上述の構造体の製造方法に関する。本発明はＳＡＰの低い中和度又は中和の不在のため、高い粘着度のＳＡＰの使用により吸収構造体における低量のＳＡＰを用いて問題を解決する。これにより、高い吸収能力を有する薄くて目立たず快適な吸収構造体が製造されることができ、これは使用者にとっては望ましいことである。
【００２５】
用語「超吸収性ポリマー」（ＳＡＰ）は自重の数倍、例えば１０倍以上の量の液体を吸収する能力を有する架橋ポリマーを意味することを意図される。それらは外部圧力に暴露された場合にも水又は体液（例えば血液又は尿）の如き吸収された液体を保持する能力を更に有する。それらは吸収物品における幅広い使用を更に獲得する。ＳＡＰは粒子、顆粒、フレーク又は繊維の形態であることができ、通常セルロース繊維の如き他の吸収材料と混合又は層状化される。ＳＡＰの例（本発明を限定するものではない）はＥＰ  ０３９１１０８に記載されているＣａｓｅｌｌａ  ＡＢ（登録商標）の如きポリアクリル酸である。
【００２６】
用語「吸収構造体」は例えばおむつ、ベビー用パンツ、失禁衣料、衛生ナプキン、パンティライナー又は同種製品である製品の吸収部分を含むことを意図される。吸収構造体は超吸収材料及び「毛羽パルプ」の混合物であることができる。ここで、用語「毛羽パルプ」は吸収構造体中に含まれるいかなる種類のセルロース繊維をも意味することを意図される。
【００２７】
用語「吸収能力」は液体を吸収して吸収構造体中に保持する全能力を意味することを意図される。ここに含まれるのは最初の及び再湿潤後の両方の吸収構造体内の拡散並びに吸収速度の如き吸収能力に影響を与える要因である。ＳＡＰの如き添加剤の量並びに吸収構造体のデザイン及び形状も吸収能力に影響を与える。
【００２８】
用語「中和」は上述の超吸収性酸性ポリマーの中和を意味することを意図される。最終製品のｐＨに応じて、ＳＡＰは通常４０〜７０％の中和度に中和される。ＮａＯＨ又はＫＯＨは中和剤として用いられる。中和はポリマー鎖の剛性及びポリマー網状構造の粘着性にも影響を与える。
【００２９】
用語「従来のＳＡＰ」は２０〜７０％の中和度に中和されたＳＡＰポリマーを意味することを意図される。
【００３０】
上述の通り、本発明は約０〜１９％、好ましくは約０〜１０％の中和度に中和されたＳＡＰを含む吸収構造体に関する。低い度合いの中和又は中和の不在は吸収構造体の特性のいくつかに肯定的なやり方で影響を与える。ＳＡＰの使用に伴う主要な問題の一つはセルロース繊維を通常含む吸収構造体の残余にＳＡＰを適切に付着させることである。中和されたＳＡＰは粘着性ではなく、中和工程において用いられるＫ又はＮａによる塩形成のため、剛直な挙動を示す。かかる特性のため、中和されたＳＡＰは吸収構造体の残余に付着することが困難であり、多量のＳＡＰの添加は困難である。
【００３１】
ＳＡＰは吸収構造体中で添加剤として用いられ、通常粒子、顆粒、フレーク又は繊維の形状にある。これらは全て吸収材料に良好なやり方で付着することが困難である（フレーク及び繊維は粒子及び顆粒と比較すると単位重量あたりの面積が大きいため、粒子及び顆粒よりは困難性が低いが）。
【００３２】
本発明は低く中和された及び非中和のＳＡＰにおける高度の粘着性により、少なくとも約５０重量％、６０重量％、７０重量％、８０重量％、９０重量％又は約１００重量％の如き多量のＳＡＰが吸収構造体中に含まれることを可能とする。通常、吸収構造体中に含まれるＳＡＰの量と最終製品の厚さ（これは吸収構造が含まれる吸収製品の吸収能力にも影響を与える）との間に妥協がある。また、低く中和された又は非中和のＳＡＰは低い膨張度を有するため、ゲルブロッキングの危険性は低い。これは多量のＳＡＰを可能にする。何故なら、それらは同量の吸収構造体中に含まれる従来のＳＡＰと比較して膨張後、小さいからである。
【００３３】
本発明によれば、多量のＳＡＰは最終製品の乾燥形態での厚さを少なくとも約１，２，４，６又は約８ｍｍの如き厚さにすることを可能にする。これは一層快適で目立たず、これらは両方とも消費者にとって望ましいものである。また、低く中和された又は非中和のＳＡＰはポリマーの剛性が低いため、最終製品が一層柔らかく柔軟であり、消費者が最終製品を用いる場合に消費者にとって肯定的なやり方で快適性に影響を与える。
【００３４】
本発明は０〜１９％の中和度に中和されたＳＡＰ並びにかかるＳＡＰを従来のＳＡＰ、即ち２０〜７０％の中和度を有するＳＡＰと共に又は従来のＳＡＰなしで構造中に含む吸収構造体をもクレームする。
【００３５】
低く中和されたＳＡＰ、即ち約０〜１９％の中和度に中和されたＳＡＰは液体を吸収する場合、２０〜７０％の中和度に中和された従来のＳＡＰと比較して低い膨張度を有する。これは単位時間あたり吸収された液体の量に関して吸収能力が低下することを意味する。これは液体取り込みが低いためである。膨張が低いため、ＳＡＰを包囲する吸収構造体の残余への液体の輸送を阻害する危険性が減少するであろう。また、遅い液体取り込みは即時接触領域以外の吸収構造体の他の部分から一層遠い領域への液体拡散に利益を与えるだろう。かかる拡散は吸収構造体全体の一層効率的な使用をもたらすであろう。
【００３６】
低く中和された又は非中和のＳＡＰの他の側面は低く中和された又は非中和のＳＡＰのｐＨは従来のＳＡＰと比較して低下し、非中和のＳＡＰにおいては約３となるということである。ポリマー構造内の及び周囲に対する低く中和された又は非中和のＳＡＰ中の化学結合の本質はポリマーを中和する際の塩形成のために純粋なイオン結合と比較してＣＯＯ−及びＨ＋について一層共有結合的特性を有する。低いｐＨは低い細菌増殖に寄与し、最終製品の使用時の悪臭の発生をも阻害する。
【００３７】
一つの実施態様においては、本発明は０〜１９％、好ましくは０〜１０％の中和度に中和されたＳＡＰを含む吸収構造体に関する。好ましい実施態様においては、０〜１９％、好ましくは０〜１０％の中和度に中和されたＳＡＰは超吸収材料が分布されている部分（単数又は複数）において吸収構造体の全乾燥重量に基づいて少なくとも約７０，８０，９０又は約１００重量％のＳＡＰを構成する。特に、９０，９３，９５，９７，９８又は１００重量％のＳＡＰの如き多量のＳＡＰが本発明に従って使用されることができる。
【００３８】
本発明の他の実施態様は０〜１９％、好ましくは０〜１０％の中和度に中和されたＳＡＰに単に関する。
【００３９】
本発明による吸収構造体は他のＳＡＰ及び毛羽パルプ（例えばＣＴＭＰ、即ち化学熱機械パルプ及び／又はＣＰ、即ち化学パルプ）、合成繊維（例えばポリプロピレン及び／又はポリエチレン繊維、ビスコース繊維又は架橋されたセルロース繊維）の如き吸収材料を含むこともできる。吸収構造体は２０〜７０％の中和度を有する従来のＳＡＰの如き他の超吸収材料を含むこともできる。
【００４０】
本発明によれば、上述したような吸収構造体は一つの実施態様においては失禁衣料、女性用衛生ナプキン、ベビー用おむつ、ベビー用パンツ、パンティライナー又は記述した同種製品の如き吸収製品の一部又はそれ自体がかかる吸収製品を形成する。前記吸収構造体は上述したような吸収製品の製造のために用いられることもできる。
【００４１】
本発明の一実施態様は図１に示されている。おむつ１００は例えば繊維布又は有孔プラスチックフィルムからなる液体透過性カバー層１、例えばプラスチックフィルム又は疎水性繊維布からなる液体不透過性カバー層２及びカバー層１と２の間に包囲された吸収構造体３を含む。
【００４２】
おむつは一対の吸収性パンツとして使用者の体の下部を包囲することを意図されている。この目的のための設計は二つの末端４，５及びそれらの間に配置された狭い股部６であり、股部６は使用時に使用者の脚の間の使用者の股に配置されることを意図される。おむつは使用時に正確な形状を形成させるために腰ライン８の近くにテープ７を有する縁を有する。テープ７の縁はおむつを使用者の腰の周りに一緒に保持するため、前腰９に近いおむつの前部５に付着されている。
【００４３】
また、おむつは図１によれば予め緊張された弾性部分１０を含み、これは弾性バンド、弾性糸、弾性フォーム又は他の目的に応じた好適な材料を含む。図１における弾性部分１０はここでは緊張された形状で示されている。緊張が停止するとすぐに弾性部分は一緒に引張られ、おむつ上に弾性脚バンドを形成する。
【００４４】
図１に示されるおむつにおける吸収構造体３は二つの層１１及び１２から構成されており、これらの層は上部液体吸収層１１及び下部液体貯蔵及び分布層１２である。上部液体吸収層１１は高い吸収能力により特徴付けられ、例えば多量の液体を短時間で吸収する必要があり、一方下部液体貯蔵及び分布層１２は高い液体分布能力により特徴付けられ、上部液体吸収層１１から液体を排出して下部液体貯蔵及び分布層１２に液体を分布させることができる。二つの層１１及び１２における異なる特徴は密度の差により達成されることができ、硬く圧縮された繊維構造体は低密度の等価な繊維構造体よりも良好に液体を分布し、後者の構造体は高い瞬間液体吸収能力及び低い液体分布能力を持つ大きな孔寸法を有する。
【００４５】
二つの層の間の吸収能力の相違は異なる特徴を有する繊維構造体の使用により、即ち異なる中和度のＳＡＰ（例えば２０〜７０％の中和度に中和された従来のＳＡＰと本発明によるＳＡＰ）の使用により達成されることもできる。毛羽パルプも含まされることができ、そこではセルロースは化学的に生成されてもよく（例、ＣＰ）、又は化学機械的に生成されてもよく（例、ＣＴＭＰ）、又は合成繊維（例、ポリプロピレン及び／又はポリエチレン繊維、ビスコース繊維又は架橋セルロース繊維）の如き合成起源のものであってもよい。化学的に生成されたセルロース毛羽はＣＴＭＰより高い液体分布能力を一般に有する。また、化学的に剛性にされたセルロース繊維を含む繊維構造体は高い瞬間液体吸収能力を有し、かつ従来の化学セルロースパルプよりも低い液体分布能力を示す。上部液体吸収層１１において用いられるべき他の好適な材料は合成又は天然繊維の嵩高材料及び／又は毛羽不織材料であることができる。
【００４６】
吸収構造体３の下部液体貯蔵及び分布層１２において、従来のＳＡＰが混合されてもよい。
【００４７】
本発明は吸収構造体の他の実施態様をも含む。吸収構造体は低く中和された及び非中和のＳＡＰ並びに従来のＳＡＰの両方を含むことができ、そこでは両方の種類が吸収構造体の上部層及び下部層中に均等に分布される。他の実施態様においては、吸収構造体はセルロース毛羽を除いて一種類のＳＡＰのみを含有してもよい。
【００４８】
本発明による吸収構造体は吸収構造体中への本発明によるＳＡＰのランダムな混合並びにセルロース繊維のティッシュ層間のＳＡＰの積層化又は層状化を含み、かくして吸収構造体における特定目的のための最も好適な配合を得る。
【００４９】
また、前記吸収構造体の製造方法もここでクレームされている。かかる方法は吸収材料を０〜１９％の中和度、好ましくは０〜１０％の中和度を有するＳＡＰと混合することを含む。この方法によればＳＡＰは吸収構造体の全乾燥重量に基づいて約６０，７０，８０，９０又は約１００重量％を構成する。かかる方法は失禁衣料、女性用衛生ナプキン、ベビー用おむつ、ベビー用パンツ、パンティライナー又は同種製品の如き吸収製品の一部を形成する構造体を製造する。
【００５０】
特定の実施態様においては、０〜１９％、好ましくは０〜１０％の中和度に中和されたＳＡＰが吸収構造体の製造のために用いられる。ここでＳＡＰはＳＡＰが分布されている部分（単数又は複数）において吸収構造体の全乾燥重量に基づいて約６０，７０，８０，９０又は約１００重量％のＳＡＰを構成してもよい。
【００５１】
更なる側面においては、本発明は上述の吸収構造体を含む失禁衣料、女性用衛生ナプキン、ベビー用おむつ、ベビー用パンツ、パンティライナー又は同種製品の如き吸収製品に関する。かかる吸収構造体により、高い吸収能力を有する薄く目立たずしかも快適な製品を製造することができ、このことは最終製品の使用者にとっては望ましいことである。
【００５２】
実施例
実施例１
この実施例は本発明を限定することなしに５％の中和度に中和されたＳＡＰを含むおむつの例を記述する。この実施例におけるおむつは図１において示されている。
【００５３】
おむつ１００の全体設計
図１にはおむつ１００が示されている。おむつは有孔プラスチックフィルムからなる液体透過性カバー層１、疎水性繊維布からなる液体不透過性カバー層２、及びカバー層１及び２の間に包囲された吸収構造体３を含む。
【００５４】
おむつは使用者の体の下部を一対の吸収パンツとして包囲することを意図されている。この目的のための設計は二つの末端４，５及びそれらの間に配置された狭い股部６であり、股部６は使用時に使用者の脚の間の使用者の股に配置されることを意図される。おむつは使用時に正確な形状を形成させるために腰ライン８の近くにテープ７を有する縁を有する。テープ７の縁はおむつを使用者の腰の周りに一緒に保持するため、前腰９に近いおむつの前部５に付着されている。
【００５５】
おむつは図１によれば予め緊張された弾性部分１０を含み、これは弾性バンド、弾性糸、弾性フォーム又は他の目的に応じた好適な材料を含む。図１における弾性部分１０はここでは緊張された形状で示されている。緊張が停止するとすぐに弾性部分は一緒に引張られ、おむつ上に弾性脚バンドを形成する。
【００５６】
吸収構造体の設計
おむつ中の吸収構造体３は図１に示されている。それは二つの層１１，１２から構成されており、これらの層は上部液体吸収層１１及び下部液体貯蔵及び分布層１２である。
【００５７】
吸収構造体中の層の特徴
二つの層１１，１２における異なる特徴、即ち吸収能力における相違、は異なる特徴を有する繊維構造体の使用により、即ち異なる中和度のＳＡＰ（例えば従来のＳＡＰと本発明によるＳＡＰ）の使用により達成される。この実施例におけるおむつ１００は吸収構造体３の上部液体吸収層１１中に５％の中和度に中和されたＳＡＰを含む。下部液体貯蔵及び分布層１２は６０〜７０％の中和度に中和された従来のＳＡＰを含む。
【００５８】
おむつはＳＡＰが分布されている部分において吸収構造体の全乾燥重量に基づいて９８重量％のＳＡＰを含む。
【００５９】
議論
上部液体吸収層１１は高い吸収能力により特徴付けられ、例えば多量の液体を短時間で吸収する必要があり、一方下部液体貯蔵及び分布層１２は高い液体分布能力により特徴付けられ、上部液体吸収層１１から液体を排出して下部液体貯蔵及び分布層１２に液体を分布させることができる。
【００６０】
吸収構造体３の下部液体貯蔵及び分布層１２中に従来のＳＡＰを配置する場合の利点は、従来のＳＡＰは低く中和された又は非中和のＳＡＰより高い総吸収能力を示すということである。
【図面の簡単な説明】
【図１】
ＳＡＰを含むおむつの模式図である。
【図１】
2004516098.tif 000003
【国際公開パンフレット】
2004516098.tif 000004
2004516098.tif 000005
2004516098.tif 000006
2004516098.tif 000007
2004516098.tif 000008
2004516098.tif 000009
2004516098.tif 000010
2004516098.tif 000011
2004516098.tif 000012
2004516098.tif 000013
2004516098.tif 000014
2004516098.tif 000015
2004516098.tif 000016
2004516098.tif 000017
【国際調査報告】
2004516098.tif 000018
2004516098.tif 000019
2004516098.tif 000020